(57)【要約】差込み接続可能な真空掃除機管装置（１０）は、ソケツト部分（１２）により形成される差込み受入れ部（１５）を持ち、この差込み受入れ部に管差込み端部（１３）が軸線方向に差込まれ、分離可能にスナツプ係止して保持されている。ソケツト部分（１２）には、阻止面（２６）を持つ操作摺動体（１７）が軸線方向に案内され、この操作摺動体が互いに両軸線方向（ｅ，ａ）に、その阻止面（２６）の中立軸線方向位置から始まって、それぞればね戻し力（１８）に抗して移動可能である。中立軸線方向位置において、阻止面（２６）は係止体（Ｓ）を鎖錠し、中立軸線方向位置から解釈方向へ移動の際　係止体を釈放する。接続を行うため、管差込み端部（１３）の端面にある第１の制御面（４１）が用いられ、接続部の分離のため、管差込み端部（１３）の係止凹所（Ｔ）により形成される第２の制御面（４３）が用いられる。装置（１０）は、接続部の結合の際にも分離の際にも快適な操作取扱いを可能にする。
2004500944.tif 000002
【特許請求の範囲】
【請求項１】
差込み接続可能な真空掃除機管装置（１０）であって、差込み受入れ部（１５）を形成するソケツト部分（１２）を持ち、この差込み受入れ部（１５）において管差込み端部（１３）が差込み方向（ｅ）に軸線方向へ差込まれ、鎖錠手段（Ｓ，Ｔ）を介して分離可能にスナツプ係止するように保持され、鎖錠手段（Ｓ，Ｔ）が、ソケツト部分（１２）の側で、後者に可動に案内される係止体（Ｓ）により、また管差込み端部（１３）の側で、後者に存在する係止凹所（Ｔ）により形成され、この係止凹所（Ｔ）に係止体（Ｓ）が分離可能に係合しているものにおいて、ソケツト部分（１２）に、阻止面（２６）を持つ操作摺動体（１７）が軸線方向に案内され、この操作摺動体（１７）が、互いに逆の両軸線方向（ｅ，ａ）に、その阻止面（２６）の中央軸線方向位置から始まって、それぞればね戻し力に抗して移動可能であり、阻止面（２６）が、その中立軸線方向位置において、係止体（Ｓ）をその鎖錠位置に保持し、中立軸線方向位置から解錠方向への移動の際に係止体（Ｓ）を釈放し、管差込み端部（１３）の端面（４２）に第１の制御面（４１）が付属し、差込み受入れ部（１５）への管差込み端部（１３）の差込み（矢印ｅ）の際、第１の制御面（４１）が、ソケツト部分（１２）と共に係止体（Ｓ）を阻止面（２６）に対して管差込み方向（ｅ）へ動かし、その際係止体（Ｓ）を解錠し、後者を係止凹所（Ｔ）において分離可能なスナツプ係止のために釈放し、係止凹所（Ｔ）に付属する第２の制御面（４３）が、差込み受入れ部（１５）からの管差込み端部（１３）の引出しの際（矢印ａ）、ソケツト部分（１２）と共に係止体（Ｓ）を阻止面（２６）に対して引出し方向（ａ）に動かし、その際解錠することを特徴とする、差込み接続可能な真空掃除機管装置。
【請求項２】
操作摺動体（１７）が、ソケツト部分（１２）の外周面（２４）の方へ半径方向に向く阻止突起（２５）を持ち、この阻止突起（２５）が阻止面（２６）を持っていることを特徴とする、請求項１の記載の差込み接続可能な真空掃除機管装置。
【請求項３】
半径方向にソケツト部分（１２）の方へ先細になる阻止突起（２５）が、ほぼ切頭角錐状断面を持ち、阻止突起（２５）の天井面が阻止面（２６）を形成し、互いに逆の両軸線方向（ｅ，ａ）に対して傾斜する阻止突起（２５）の側面が、係止体（Ｓ）に対して滑り案内面（２７，２８）を形成していることを特徴とする、請求項２に記載の差込み接続可能な真空掃除機管装置。
【請求項４】
操作摺動体（１７）が、ソケツト部分（１２）の方へほぼ半径方向内方へ突出するほぼ爪状の突起（２１）を持ち、この突起の爪開口（２２）が、ソケツト部分（１２）に保持される棒ばね（１８）の互いに逆の両軸線方向（ｅ，ａ）に偏向可能なばね範囲（２３）を受け入れていることを特徴とする、請求項１〜３の１つに記載の差込み接続可能な真空掃除機管装置。
【請求項５】
操作摺動体が、ソケツト部分（１２）を少なくとも部分スリーブ状に包囲する部材（１７）を形成していることを特徴とする、請求項１〜４の１つに記載の差込み接続可能な真空掃除機管装置。
【請求項６】
操作摺動体が、ソケツト部分（１２）をその全周長で包囲する操作スリーブ（１７）を形成していることを特徴とする、請求項５に記載の差込み接続可能な真空掃除機管装置。
【請求項７】
ソケツト部分（１２）及び管差込み端部（１３）が、差込み受入れ部（１５）の範囲で、互いに軸線方向案内手段（３８，３７）を形成していることを特徴とする、請求項１〜６の１つに記載の差込み接続可能な真空掃除機管装置。
【請求項８】
軸線方向案内手段が溝・キー装置（３８，３７）により形成されていることを特徴とする、請求項７に記載の差込み接続可能な真空掃除機管装置。
【請求項９】
管差込み端部（１３）が、半径方向外方へ突出する軸線方向ひれ（３７）を持ち、ソケツト部分（１２）が、それに対応してその内周面（３５）に軸線方向溝（３６）を持っていることを特徴とする、請求項７又は８に記載の差込み接続可能な真空掃除機管装置。
【請求項１０】
操作摺動体（１７）及びソケツト部分（１２）が互いに軸線方向案内手段を形成していることを特徴とする、請求項１〜９の１つに記載の差込み接続可能な真空掃除機管装置。
【請求項１１】
軸線方向案内手段が溝・キー案内装置により形成していることを特徴とする、請求項１０に記載の差込み接続可能な真空掃除機管装置。
【請求項１２】
管差込み端部（１３）の端面（４２）が、第１の制御面（４１）を形成するため、少なくともその周囲の一部を先細になるように引込められていることを特徴とする、請求項１〜１１の１つに記載の差込み接続可能な真空掃除機管装置。
【請求項１３】
管差込み端部（１３）の係止凹所（Ｔ）が、管中心の方へほぼ半径方向に突出する小つぼ状没入部を形成していることを特徴とする、請求項１〜１２の１つに記載の差込み接続可能な真空掃除機管装置。
【請求項１４】
小つぼ状係止凹所（Ｔ）がほぼ切頭円錐状断面輪郭を持っていることを特徴とする、請求項１３に記載の差込み接続可能な真空掃除機管装置。
【請求項１５】
管差込み端部（１３）の端面（４２）に隣接する小つぼ状係止凹所（Ｔ）の側面（４３）が、第２の制御面を形成していることを特徴とする、請求項１〜１４の１つに記載の差込み接続可能な真空掃除機管装置。
【請求項１６】
係止体（Ｓ）の断面輪郭が、小つぼ状係止凹所（Ｔ）の断面輪郭に一致していることを特徴とする、請求項１〜１５の１つに記載の差込み接続可能な真空掃除機管装置。
【請求項１７】
係止体（Ｓ）が、操作摺動体（１７）の阻止面（２６）に面する対応阻止対向面（３４）を形成していることを特徴とする、請求項１６に記載の差込み接続可能な真空掃除機管装置。
【請求項１８】
係止体（Ｓ）が、互いに逆の両軸線方向（ｅ，ａ）に対して傾斜した操作摺動体（１７）の阻止突起（２５）に対して、滑り案内対向面（２９，３０）を形成していることを特徴とする、請求項１〜１７の１つに記載の差込み接続可能な真空掃除機管装置。
【請求項１９】
係止体（Ｓ）が、少なくともほぼ半径方向に可動にソケツト部分（１２）に案内され、少なくとも互いに逆の両軸線方向（ｅ，ａ）に関して、後者と可動連結されていることを特徴とする、請求項１〜１８の１つに記載の差込み接続可能な真空掃除機管装置。
【請求項２０】
係止体（Ｓ）が、ソケツト部分（１２）から切抜かれるほぼ舌片状の部材（Ｚ）を形成し、この部材（Ｚ）の舌片根元（３３）が特にソケツト部分（１２）の端面（３２）に隣接していることを特徴とする、請求項１〜１９の１つに記載の真空掃除機管装置。
【発明の詳細な説明】
【０００１】
本発明は、請求項１の上位概念による差込み接続可能な真空掃除機管装置に関する。公然の先使用により公知になっているこのような差込み接続可能な真空掃除機管装置は、空気を通す２つの管部分の分離可能な接続に用いられる。
【０００２】
例えばこのような差込み接続可能な真空掃除機管装置により、吸引ノズル、吸収ブラシ等のような吸引工具へ管状移行部分を接続することができる。他方このような真空掃除機管部分は、例えば吸引ホースの自由端に設けられる取っ手を伸縮管装置の管差込み部に分離可能に接続するのにも用いることができる。
【０００３】
公然の先使用により公知の差込み接続可能な真空掃除機管装置では、ソケツト部分の外部に揺動片が関節状に支持され、その一端が鎖錠方向にばね荷重を受け、半径方向内方へ向く係止体を持ち、この係止体がソケツト部分を貫通し、かつ切れ目構成される管端部の係止凹所にはまるか、係止凹所を貫通している。揺動片の他端は操作キーとして構成されている。
【０００４】
前述した公知の差込み接続可能な真空掃除機管装置は、実際に広く普及しており、有効であることがわかった。しかし差込み接続部の結合及び分離の際もっと快適な取扱いへの希望が生じている。
【０００５】
最初に述べたように公然の先使用により公知になっている差込み可能な真空掃除機管装置から出発して、本発明の基礎になっている課題は、公知の装置を発展させて、差込み接続部の結合も分離も今までより著しく便利に取扱い可能であるようにすることである。
【０００６】
本発明によれば、請求項１の上位概念の特徴に関連して、この課題は、ソケツト部分に、阻止面を持つ操作摺動体が軸線方向に案内され、この操作摺動体が、互いに逆の両軸線方向に、その阻止面の中央軸線方向位置から始まって、それぞればね戻し力に抗して移動可能であり、阻止面が、その中立軸線方向位置において、係止体をその鎖錠位置に保持し、中立軸線方向位置から解錠方向への移動の際に係止体を釈放し、管差込み端部の端面に第１の制御面が付属し、差込み受入れ部への管差込み端部の差込み（矢印ｅ）の際、第１の制御面が、ソケツト部分と共に係止体を阻止面に対して管差込み方向へ動かし、その際係止体を解錠し、後者を係止凹所において分離可能なスナツプ係止のために釈放し、係止凹所に付属する第２の制御面が、差込み受入れ部からの管差込み端部の引出しの際、ソケツト部分と共に係止体を阻止面に対して引出し方向に動かし、その際解錠することによって解決される。
【０００７】
本発明による装置は次の有利な取扱いを可能にする。
差込み接続部の結合のために、ソケツト部分に軸線方向に案内される操作摺動体を一方の手でつかんで保持し、管差込み端部を他方の手で差込み方向に差込み受入れ部へ導入しさえすればよい。
その際付加的な操作取扱いを必要とすることなく、管差込み端部の第１の制御面が鎖錠位置にある係止体へ当たり、係止体をソケツト部分と共に軸線方向へ操作摺動体からは離れるように動かす。この場合操作摺動体の阻止面は係止体を釈放し、それにより係止体は係止凹所へスナツプ動作的にはまることができる。
続いて係止体の鎖錠は、一方の手で操作摺動体を離し、それから操作摺動体が両方のばね戻し力の一方により阻止面の中立軸線方向位置へ戻され、従って阻止面の鎖錠位置へ戻されることによって、自動的に行われる。
他方差込み接続部を分離する場合、装置を一方の手により操作摺動体に固定し、他方の手により管差込み端部を差込み受入れ部から引出しさえすれば充分である。その際係止凹所に付属する第２の制御面が、係止体をソケツト部分と共に阻止面に対して引出し方向に動かし、同時に係止体を解錠する。
【０００８】
本発明の別の構成では、操作摺動体が、ソケツト部分の外周面の方へ半径方向に向く阻止突起を形成し、この阻止突起が阻止面を持っている。
【０００９】
阻止突起を形成する際本発明によれば、半径方向にソケツト部分の方へ先細になる阻止突起が、ほぼ切頭角錐状断面を持ち、阻止突起の天井面が阻止面を形成し、互いに逆の両軸線方向に対して傾斜する阻止突起の側面が、係止体に対して滑り案内面を形成している。
【００１０】
本発明によれば、操作摺動体が、ソケツト部分の方へほぼ半径方向内方へ突出するほぼ爪状の突起を持ち、この突起の爪開口が、ソケツト部分に保持される棒ばねの互いに逆の両軸線方向に偏向可能なばね範囲を受け入れていることによって、軸線方向に互いに逆向きの両方のばね戻し力が与えられる。
【００１１】
本発明による差込み接続可能な真空掃除機管装置によって得られる取扱いの簡単化は、操作摺動体が、ソケツト部分をその全周長で包囲する操作スリーブを形成していることによって最適化される。
【００１２】
更に本発明は、適切であるが強制的ではなく管差込み端部の端面が、第１の制御面を形成するため、少なくともその周囲の一部を先細になるように引込められているように考慮している。原理的に本発明による装置は、端部が不変に円筒状に構成され、こうして存在する端面が第１の制御面をなしている時にも機能を果たす。
【００１３】
接続部の結合及び分離の際融通のきく動作を可能にする別の有利な本発明の特徴は、管差込み端部の係止凹所が、管中心の方へほぼ半径方向に突出する小つぼ状没入部を形成し、小つぼ状係止凹所がほぼ切頭円錐状断面輪郭を持っていることである。
【００１４】
最後に管差込み端部の端面に隣接する小つぼ状係止凹所の側面が、第２の制御面を形成している。
【００１５】
本発明のそれ以上の特徴は、付加的な従属請求項からわかる。
【００１６】
図面には本発明の有利な実施例が示されている。
【００１７】
図面に符号１０で示す差込み接続可能な真空掃除機管装置は、ソケツト部分１２を有する管状ノズル接続管片１１と、吸込み管例えば伸縮内管１４の管差込み端部１３とを持っている。伸縮内管１４の代わりに、伸縮外管も設けることができる。
【００１８】
管差込み端部１３は、ソケツト部分１２により形成される差込み受入れ部１５により受入れられている。差込み方向はｅで示され、引出し又は分離方向はａで示されている。
【００１９】
操作スリーブ１７として構成される操作摺動体は、図示しない軸線方向案内手段例えば溝・キー装置により、回らないようにソケツト部分１２の外周上に、両方向ｅ及びａに滑るように案内されている。
【００２０】
ノズル接続片１１は、例えば吸込みノズルと、吸込みブラシ等のような吸込み工具の概略的にのみ示す端部範囲１６を形成している。
【００２１】
ノズル接続片１１は、図示された実施例ではプラスチツクから成り、同様に一体に結合されるソケツト部分１２とこのソケツト部分１２上に滑るように案内される操作スリーブ１７も、プラスチツクから成っている。伸縮内管１４は、図示した実施例では鋼から成っている。もちろん他の目的にかなった材料も、図示した実施例又は本発明により変更される実施例にも適用可能である。
【００２２】
ソケツト部分１２を包囲する環状棒ばね１８は、その両方の締付け端部１９を、ソケツト部分１２により形成される支持ブロツク２０にそれぞれ保持されている。図３には、それぞれ１つの締付け端部１９及び支持ブロツク２０のみが破線で示されている。操作スリーブ１７は、ほぼ半径方向内方へソケツト部分１２の方へ突出するほぼ爪状の突起２１を形成し、この突起２１の爪開口２２は、棒ばね１８の互いに両軸線方向ｅ及びａに偏向可能なばね範囲２３を受入れている。
【００２３】
ばね範囲２３が軸線方向ｅ及びａに偏向できるようにするため、ソケツト部分１２の外周部分には運動空間３１が切欠かれている。
【００２４】
操作スリーブ１７は、半径方向にソケツト部分１２の外周面２４の方へ向く阻止突起２５を持ち、この阻止突起２５が阻止面２６を形成している。阻止突起２５はほぼ半径方向にソケツト部分１２の方へ先細になるほぼ切頭角錐状の断面を持ち、阻止突起２５の天井面が阻止面２６を形成している。
【００２５】
互いに逆の両軸線方向ｅ及びａに対して傾斜している阻止突起２５の側面は、全体をＳで示す阻止体の滑り案内対向面２９，３０用の滑り案内面２７，２８を形成している。
【００２６】
阻止体Ｓは、全体をＺで示す舌片状部材の構成部分であり、この部材はソケツト部分１２の壁から切抜かれ、ソケツト部分１２の端面３２に隣接して設けられるこの部材の舌片根元には、符号３３がつけられている。舌片状部材Ｚは、それが常にほぼ図３に示す位置をとるように材料により固有弾性を持つようにすることができる。
【００２７】
係止体Ｓは阻止突起２５と同じように、ほぼ切頭角錐状の断面を持っている。係止体Ｓは、阻止突起２５の阻止面２６に対応して、環状の阻止対向面３４を形成している。
【００２８】
ソケツト部分１２の内周面３５は、その端面３２から始まってそこの中へ開いて、軸線方向に延びる滑り案内溝３６を持ち、管差込み端部１３からほぼばね状に外方へ刻印される短い軸線方向縦しわ３７が、滑り案内溝３６と共同作用する。
【００２９】
滑り案内溝３６の軸線方向長さを同時に内方へ限定する短い縦しわ３７用ストツパ３８は、管差込み端部１３において半径方向内方へ突出して小つぼ状に没入する係止凹所Ｔへ、係止体Ｓがはまり合いでスナツプ係合するのを保証する。小つぼ状係止凹所Ｔ又は小つぼ状没入部は、ほぼ切頭円錐状の断面輪郭を持っている。
【００３０】
係止体Ｓは小つぼ状係止凹所Ｔへ係合し、小つぼ状係止凹所に対応する断面輪郭を持っている。
【００３１】
舌片結合のため、係止体Ｓはほぼ半径方向に可動にソケツト部分１２に案内され、少なくとも互いに逆の両軸線方向ｅ及びａに関して、ソケツト部分１２に可動連結されている。
【００３２】
図示した差込み接続可能な真空掃除機管装置１０の操作態様が次に説明される。
【００３３】
図面において、阻止突起２５の阻止面２６は中立軸線方向位置にあり、この位置が方向ａ及びｅに作用しかつ棒ばね１８により与えられるばね戻し力により得られる。棒ばね１８のばね戻し力が操作スリーブ１７に作用しないこの中立軸線方向位置において、阻止突起２５の阻止面２６が係止体Ｓの阻止対向面３４に合わされるので、係止体Ｓは鎖錠された位置にある。
【００３４】
装置１０の結合前に、管差込み端部１３が差込み受入れ部１５の軸線方向右前にあり、それから一方の手により差込み方向ｅにソケツト部分１２へ導入され、他方の手が操作スリーブ１７を固定していることが考えられる。その際円錐状に引込められる第１の制御面４１が切頭円錐状に構成される係止体Ｓの斜めの滑り面４４へ右から当たり、係止体Ｓを、操作スリーブ１７に対して、係止体Ｓに可動連結されるソケツト部分１２と共に、方向ｅに左方へ押す。係止体Ｓの阻止対向面３４が阻止突起２５の阻止面２６との接触から外れ、一方阻止体Ｓが第１の制御面４１により受入れ空間Ａｅへ押しのけられる。
【００３５】
従って係止体Ｓが解錠され、短い縦しわ３７が滑り案内溝３６のストツパ３８に当たると、係止体Ｓが小つぼ状係止凹所Ｔに合わされる。手が操作スリーブ１７を離し、棒ばね１８のばね戻し力により操作スリーブ１７が、差込み方向ｅへのソケツト部分１２の移動に追従しようとすることによって、スナツプ係止過程が完了せしめられる。
【００３６】
従って操作スリーブ１７が方向ｅに戻るが、阻止突起２５の滑り案内面２７が、最初はまだ受入れ空間Ａｅにある係止体Ｓを、その滑り案内対向面３０により、小つぼ状係止凹所Ｔへ押込む。同時に阻止面２６が阻止対向面３４へ当たる。
【００３７】
図面に示されている装置１０の分離は次のように行われる。
一方の手が操作スリーブ１７を包囲し、これを固定し、他方の手が伸縮内管１４を包囲し、管差込み端部１３へ方向ａに引張り力を及ぼす。その際管差込み端部１３の端面４２に隣接している小つぼ状凹所Ｔの側面４３（従って第２の制御面）が、左から係止体Ｓの他方の斜めの滑り面４５へ当り、その際阻止体Ｓを、それと可動連結されているソケツト部分１２を含めて、右方へ方向ａに動かす。その際第２の制御面４３が、係止体Ｓを受入れ空間Ａａへ押込む。従って係止体Ｓが解錠され、差込み端部１３を、完全にソケツト部分側差込み受入れ部１５から引出すことができる。
【００３８】
前述した動作の説明は、差込み接続部の結合も分離も非常に快適な操作態様で行われることを示している。
【図面の簡単な説明】
【図１】管錠ノノズル接続部分と例えば伸縮内管の管差込み端部とにより形成される差込み接続可能な真空掃除機管装置を示す。
【図２】図１による装置を図１より拡大した軸線断面で示す。
【図３】図２による接続範囲を再び拡大して示す。
【図４】図３にＤで示す破線の円にほぼ対応する拡大した詳細を示す。
【国際公開パンフレット】
2004500944.tif 000003
2004500944.tif 000004
2004500944.tif 000005
2004500944.tif 000006
2004500944.tif 000007
2004500944.tif 000008
2004500944.tif 000009
2004500944.tif 000010
2004500944.tif 000011
2004500944.tif 000012
2004500944.tif 000013
2004500944.tif 000014
2004500944.tif 000015
2004500944.tif 000016
2004500944.tif 000017
2004500944.tif 000018
2004500944.tif 000019
【国際調査報告】
2004500944.tif 000020
2004500944.tif 000021
2004500944.tif 000022
2004500944.tif 000023
2004500944.tif 000024
2004500944.tif 000025